(57)【要約】【課題】  本発明は、アーチパイプ等の骨組上に展張した透明又は半透明な合成樹脂のシートの内面に付着した結露水を回収するビニールハウスの結露水回収装置に関する。【解決手段】  断面コ字状またはＵ字状の挟持金具Ａと、上記挟持金具Ａ内に同一方向に向けて挿入された樋Ｂと、上記挟持金具Ａに着脱自在に取り付けられて上記樋Ｂを締め付ける締付部材Ｃとからなり、上記挟持金具Ａは相対向する一対の挟持片１、２と、各挟持片１、２の端部に形成した開口部３、３と、各開口部３、３の開口巾を規制する相対向する一対のフック４、５とからなり、上記開口部３、３内に上記樋Ｂと直交する方向にビニールシート定着用の蟻溝フレームＤを挿入し、次いで上記締付部材Ｃを上記挟持金具Ａに装着して、上記樋Ｂと上記蟻溝フレームＤとを挟持金具Ａ内に保持させる。【選択図】  図２
2010136681.tif 000002
【特許請求の範囲】
【請求項１】
断面コ字状またはＵ字状の挟持金具（Ａ）と、上記挟持金具（Ａ）内に同一方向に向けて挿入された樋（Ｂ）と、上記挟持金具（Ａ）に着脱自在に取り付けられて上記樋（Ｂ）を締め付ける締付部材（Ｃ）とからなり、上記挟持金具（Ａ）は相対向する一対の挟持片（１）、（２）と、各挟持片（１）、（２）の端部に形成した開口部（３）、（３）と、各開口部（３）、（３）の開口巾を規制する相対向する一対のフック（４）、（５）とからなり、上記開口部（３）、（３）内に上記樋（Ｂ）と直交する方向にビニールシート定着用の蟻溝フレーム（Ｄ）を挿入し、次いで上記締付部材（Ｃ）を上記挟持金具（Ａ）に装着して、上記樋（Ｂ）と上記蟻溝フレーム（Ｄ）とを挟持金具（Ａ）内に保持させることを特徴とするビニールハウスにおける結露水回収装置。
【請求項２】
樋（Ｂ）が断面Ｕ字状の樋本体（６）と、ホース取付部（９）とからなり、上記ホース取付部（９）が樋本体（６）の端部に一体又は着脱自在に結合された半筒状の差し込み部（７）と、この差し込み部（７）の上端に刻設した複数の凹凸状保持部（８）とで構成されている請求項１の結露水回収装置。
【請求項３】
上記締付部材（Ｃ）が挟持金具（Ａ）の底部に移動自在に挿入したボルト（１０）からなり、上記ボルト（１０）をねじ込んだとき、上記樋（Ｂ）が押し上げられて当該ボルト（１０）と上記フック（４）、（５）とで上記樋（Ｂ）と蟻溝フレーム（Ｄ）とを挟持する請求項１または請求項２の結露水回収装置。
【請求項４】
上記締付部材（Ｃ）が楔（１１）からなり、上記楔（１１）が上記樋（Ｂ）を上記挟持金具（Ａ）の底面に圧接させると共に、上記蟻溝フレーム（Ｄ）を上記フック（４）、（５）側に圧接させてそれぞれ上記樋（Ｂ）と蟻溝フレーム（Ｄ）とを挟持する請求項１または請求項２の結露水回収装置。
【請求項５】
上記蟻溝フレーム（Ｄ）が蟻溝と露受け溝とからなり、上記露受け溝が上記蟻溝に着脱自在に取り付けられていることを特徴とした請求項１、２、３または４の結露水回収装置。
【請求項６】
上記蟻溝フレーム（Ｄ）が蟻溝と露受け溝とからなり、上記露受け溝と上記蟻溝とが一体的に形成されることを特徴とした請求項１、２、３または４の結露水回収装置。
【請求項７】
折れ曲がっている蟻溝フレーム（Ｄ）の谷部に上記樋（Ｂ）を保持させる請求項１、２、３、４、５または６の結露水回収装置。
【発明の詳細な説明】
【技術分野】
【０００１】
本発明は、アーチパイプ等の骨組上に展張した透明又は半透明な合成樹脂のシートの内面に付着した結露水を回収するビニールハウスの結露水回収装置に関する。
【背景技術】
【０００２】
一般に、アーチパイプ等の骨組上に透明なビニールシートを展張した温室たるビニールハウスでは、ハウス内の室温や湿度がハウス外の大気より高く、又作物に水を与えてこの水が蒸発することから、ビニールシートの内側内面が結露する。
【０００３】
この結露による水滴は、これを放置しておくとビニールシートの内面を流下してある重みになると土壌上に落下し、室内で作業する作業者が不快になるばかりでなく、作物の根腐れ、病気を起こし、植物の育成に多大な悪影響を及ぼす。
【０００４】
そこで、この不具合を解消するため、本出願人は、例えば、特許文献１に開示されたような結露水回収装置を開発している。
【０００５】
このビニールハウスの結露水回収装置は、結露水を回収するための収集口と、結露水を回収する結露水回収具本体と、回収した結露水を排出するための排出口とからなる結露水回収具と、この結露水回収具の左右両側に着脱自在に挿入した左右一対のシート定着部材たる蟻溝フレームとからなる。
【０００６】
更には、上記排出口には排水管が連結されており、この排水管は回収した結露水を所定の場所まで誘導する。
【０００７】
この結露水回収装置によれば、結露水が左右一対の蟻溝フレームを伝って上記収集口から結露水回収具本体内に回収され、排出口から排水管を伝って所定の場所に排出される。
【特許文献１】特開２００７−２２２００８（請求項、図面参照）
【発明の開示】
【発明が解決しようとする課題】
【０００８】
上記従来の結露水回収装置では、機能上特に欠陥があるわけではないが、次のような不具合の改善が求められている。
【０００９】
即ち、上記従来の結露水回収装置では、左右一対のシート定着部材たる蟻溝フレームが結露水回収装置を介して連結された構造となっており、言い換えれば、結露水回収装置は蟻溝フレームと蟻溝フレームとの連結部にしか設置することのできない構造となっている。
【００１０】
しかしながら、結露水が集まり、土壌上に落下する結露水凝集箇所は必ずしも上記蟻溝フレームの連結部とは限らず、蟻溝フレームの撓み部分や、ビニールシートの撓み部分も、上記撓みの谷となる部位が結露水凝集箇所となり、ここから結露水が土壌上に落下することとなる。
【００１１】
また、上記撓みの起こる部位は、ビニールハウスを構成するビニールシートやアーチパイプ、蟻溝フレームなどの重みによって起こるため、撓みの発生する部位を予め予測することは困難であり、経時的に変化する場合もある。
【００１２】
然るに、全ての結露水が結露水回収装置に回収されず、上記撓み部分に結露水が凝集して土壌上に落下する場合においては、上記従来の結露水回収装置では取り付け後の移動が困難であることから、このような結露水を回収することが難しいという不具合があった。
【００１３】
そこで、本発明の目的は、結露水回収装置を蟻溝フレームの任意の位置に容易に取り付けることができ、ビニールハウスを組み立てた後からでも容易に後付けすることができ、結露水回収装置を取り付けた後からでも容易に移動させることができ、ビニールシートの撓み部分にできた結露水凝集箇所から落下する結露水をも回収することができ、構造が簡単で安価に製造及び設置可能な結露水回収装置を提供することである。
【課題を解決するための手段】
【００１４】
上記課題を解決するため、本発明の結露水回収装置の一つの手段は、  断面コ字状またはＵ字状の挟持金具と、上記挟持金具内に同一方向に向けて挿入された樋と、上記挟持金具に着脱自在に取り付けられて上記樋を締め付ける締付部材とからなり、上記挟持金具は相対向する一対の挟持片と、各挟持片の端部に形成した開口部と、各開口部の開口巾を規制する相対向する一対のフックとからなり、上記開口部内に上記樋と直交する方向にビニールシート定着用の蟻溝フレームを挿入し、次いで上記締付部材を上記挟持金具に装着して、上記樋と上記蟻溝フレームとを挟持金具内に保持させることを特徴とするものである。
【００１５】
この場合、樋が断面Ｕ字状の樋本体と、ホース取付部とからなり、上記ホース取付部が樋本体の端部に一体又は着脱自在に結合された半筒状の差し込み部と、この差し込み部の上端に刻設した複数の凹凸状保持部とで構成されていることが好ましい。
【００１６】
同じく、上記締付部材が挟持金具の底部に移動自在に挿入したボルトからなり、上記ボルトをねじ込んだとき、上記樋が押し上げられて当該ボルトと上記フックとで上記樋と蟻溝フレームとを挟持することが好ましい。
【００１７】
この場合、上記締付部材が楔からなり、上記楔が上記樋を上記挟持金具の底面に圧接させると共に、上記蟻溝フレームを上記フック側に圧接させてそれぞれ上記樋と蟻溝フレームとを挟持するとしてもよい。
【００１８】
また、上記蟻溝フレームが蟻溝と露受け溝とからなり、上記露受け溝が上記蟻溝に着脱自在に取り付けられていることが好ましく、あるいは上記露受け溝と上記蟻溝とが一体的に形成されるとしても良い。
【００１９】
また、折れ曲がっている蟻溝フレームの谷部に上記樋を保持させることが好ましい。
【発明の効果】
【００２０】
各請求項１、２、３、４の発明によれば、挟持金具に設けた開口部内に樋と直交する方向にビニールシート定着用の蟻溝フレームを挿入し、次いで締付部材を挟持金具に装着することのみで、樋と蟻溝フレームとを挟持金具内に保持させることが可能であることから、本発明の結露水回収装置を蟻溝フレームの任意の位置に容易に取り付けることができ、ビニールハウスに蟻溝フレームが既に取り付いた状態にあったとしても、結露水回収装置の取り付けや移動が容易である。
【００２１】
更には、樋の取り付け位置を変更したり、長さ調節をしたりすることにより、ビニールシートの撓み部分にできた結露水凝集箇所から落下する結露水をも回収することが容易である。
【００２２】
また、結露水回収装置の取り付け、移動などの上記作業を容易に行うことができるため、作業性が良い。
【００２３】
請求項２、３、４の発明によれば、樋若しくは締付部材の構造が単純であるため、組付性に優れ、安価に製造することが可能である。
【００２４】
また、樋の構造が、断面Ｕ字状の樋本体と、ホース取付部とからなり、上記ホース取付部が樋本体の端部に一体又は着脱自在に結合された半筒状の差し込み部と、この差し込み部の上端に刻設した複数の凹凸状保持部とで構成されることにより、この保持部の凹凸により、特別な部材を使用することなく排水管たるホースの口を抜けにくく保持することが可能となる。
【００２５】
請求項５の発明によれば、上記蟻溝フレームが蟻溝と露受け溝とからなり、上記露受け溝が上記蟻溝に着脱自在に取り付けられていることにより、露受け溝が必要となったときに露受け溝を取り付ければ良く、コスト的な無駄を省くことができ、経済的である。
【００２６】
請求項６の発明によれば、上記蟻溝フレームが蟻溝と露受け溝とからなり、上記露受け溝と上記蟻溝とが一体的に形成されることにより、露受け溝を取り付ける手間がかからず、作業性、組付性が良い。
【００２７】
請求項７の発明によれば、目視により蟻溝フレームの折れ曲がっている部分を確認することができれば、折れ曲がった谷部が結露水凝集箇所となりうるため、結露水回収装置を上記谷部に取り付けることで、結露水が土壌上に落下することを防ぐことができる。
【発明を実施するための最良の形態】
【００２８】
以下、本発明の実施の形態について、図面を参照して詳細に説明する。いくつかの図面を通して付された同じ数字は、同じ部品かまたはそれに対応する部品を示す。
【００２９】
図１は、本発明の第一の実施の形態を示す結露水回収装置をビニールハウス内側からみた斜視図である。図２は、本発明の第一の実施の形態を示す結露水回収装置の斜視図である。図３は、本発明の第一の実施の形態を示す結露水回収装置の横断面図である。図４は、本発明の第一の実施の形態を示す結露水回収装置の縦断面図である。
【００３０】
図１に示すように、本発明の結露水回収装置はビニールハウスを構成する横梁であるビニールシート定着用の蟻溝フレームＤに取り付けられ、断面コ字状またはＵ字状の挟持金具Ａと、上記挟持金具Ａ内に同一方向に向けて挿入された樋Ｂと、上記挟持金具Ａに着脱自在に取り付けられて上記樋Ｂを締め付ける締付部材Ｃたるボルト１０とからなる。
【００３１】
ビニールシートＳに発生した結露水は、ビニールシートＳを伝って蟻溝フレームＤに達し、蟻溝フレームＤが撓んで谷となった結露水凝集箇所に集まって、この結露水凝集箇所に設けた結露水回収装置の樋Ｂに落下し、排水管Ｅたるホースを伝って所定の場所に排出される。
【００３２】
次いで、結露水回収装置の詳細な構造を図２に示す。挟持金具Ａは相対向する一対の挟持片１、２と、各挟持片１、２の端部に形成した開口部３、３と、各開口部３、３の開口巾を規制する相対向する一対のフック４、５とからなり、上記開口部３、３内に樋Ｂと直交する方向に蟻溝フレームＤを挿入する。この蟻溝フレームＤには係止線条１３を介してビニールシートが定着されている。
【００３３】
次いでボルト１０を挟持金具Ａの底部に移動自在に挿入し、上記樋Ｂを押し上げて当該ボルト１０と上記フック４、５とで上記樋Ｂと蟻溝フレームＤとを挟持する。
【００３４】
樋Ｂと蟻溝フレームＤとを挟持するための締付部材Ｃとして、上記ボルト１０に換えて楔１１を使用するとしても良く、この場合にあっては、上記楔１１を蟻溝フレームＤの底部と樋Ｂの上部との間に挿入して、樋Ｂを挟持金具Ａの底面に圧接させると共に、上記蟻溝フレームＤを上記フック４、５側に圧接させて、それぞれ上記樋Ｂと蟻溝フレームＤとを挟持する。
【００３５】
上記樋Ｂは、断面Ｕ字状の樋本体６と、ホース取付部９とからなり、上記ホース取付部９が樋本体６の端部に一体又は着脱自在に結合された半筒状の差し込み部７と、この差し込み部７の上端に刻設した複数の凹凸状保持部８とからなる。このホース取り付け部９を排水管Ｅたるホースに差し込み、このホースは結露水を排出するための所定の場所まで延びている。
【００３６】
図４に示すように、ビニールシートＳの内側に付着した結露水Ｗは、ビニールシートＳの傾斜に従って、ビニールシートＳの内側面を伝い、蟻溝フレームＤに到達する。蟻溝フレームＤに集まった結露水Ｗは樋Ｂの本体６上に落下し、この樋本体６を伝って差し込み部７を介して排水管Ｅに到達し、この排水管Ｅによって所定の場所に誘導されて排出される。
【００３７】
上記構成を備えることにより、挟持金具Ａに設けた開口部３、３内に樋Ｂと直交する方向にビニールシート定着用の蟻溝フレームＤを挿入し、次いで締付部材Ｃを挟持金具Ａに装着することのみで、樋Ｂと蟻溝フレームＤとを挟持金具Ａ内に保持させることが可能であることから、本発明の結露水回収装置を蟻溝フレームＤの任意の位置に容易に取り付けることができ、ビニールハウスに蟻溝フレームＤが既に取り付いた状態にあったとしても、締付部材Ｃたるボルト１０を緩ませたり、楔１１を引き抜いたりすることにより、結露水回収装置の取り付けや移動が容易である。
【００３８】
更には、挟持金具Ａで樋Ｂを挟持する位置を図２中矢印方向にずらしたり、樋Ｂの長さを適宜選択したりすることにより、ビニールシートの撓み部分にできた結露水凝集箇所から落下する結露水をも回収することも容易である。
【００３９】
また、結露水回収装置の取り付け、移動などの上記作業を容易に行うことができるため、作業性が良い。
【００４０】
更には、樋Ｂ若しくは締付部材Ｃの構造が単純であるため、汎用品を利用することがき、組付性に優れ、安価に製造することが可能である。
【００４１】
また、樋Ｂの構造が、断面Ｕ字状の樋本体６と、ホース取付部９とからなり、上記ホース取付部９が樋本体６の端部に一体又は着脱自在に結合された半筒状の差し込み部７と、この差し込み部７の上端に刻設した複数の凹凸状保持部８とで構成されることにより、この保持部８の凹凸により、特別な部材を使用することなく排水管Ｅたるホースの口を抜けにくく保持することが可能となる。
【００４２】
更には、図３に示すように目視により蟻溝フレームＤの折れ曲がっている部分を確認することができれば、折れ曲がった谷部１２が結露水凝集箇所となりうるため、結露水回収装置を上記谷部１２に取り付けることで、結露水が土壌上に落下することを防ぐことができる。
【００４３】
次に、本発明の第二の実施の形態を説明する。
【００４４】
図５は、本発明の第二の実施の形態を示す結露水回収装置の斜視図である。図６は、本発明の第二の実施の形態を示す結露水回収装置の縦断面図である。
【００４５】
第二の実施の形態にあっては、上述の第一の実施の形態のビニールシート定着用の蟻溝フレームＤの構造を変更したのみであるため、同様の構成については、詳細な説明を省略する。
【００４６】
第二の実施の形態の蟻溝フレームＤにおいては、二枚のビニールシートを定着するために用いられ、図５に示すように、二本の蟻溝１４、１５と、露受け溝１６とを並列に設け、それぞれの蟻溝１４、１５にそれぞれ係止線条１３、１３を介してそれぞれビニールシートＳ、Ｓを定着している。
【００４７】
この様な場合にあっては、蟻溝フレームＤの幅が広く、図６に示すように結露水凝集箇所も蟻溝フレームＤの幅方向に複数発生する場合がある。つまり、露受け溝１６、蟻溝１４、１５に結露水が集まり、各箇所から結露水が樋本体６上に落下する。
【００４８】
このような場合にあっても、本発明の結露水回収装置の構成によっては、樋Ｂを蟻溝フレームＤに固定するときに、挟持金具Ａで樋Ｂを挟持する位置を調整するだけですみ、作業が簡単である。
【００４９】
また、露受け溝１６と蟻溝１４、１５とからなる蟻溝フレームにおいて、上記露受け溝１６が上記蟻溝１５に着脱自在とした場合には、露受け溝１６が必要となったときに露受け溝１６を取り付ければ良く、コスト的な無駄を省くことができ、経済的である。
【００５０】
また、上記露受け溝１６と上記蟻溝１５とが一体的に形成した場合には、露受け溝１６を取り付ける手間がかからず、作業性、組付性が良い。
【００５１】
図５、図６にあっては、結露水が流下する最も下流の蟻溝１４の下部を挟持金具Ａにより挟持しているが、何れの蟻溝１４、１５の下部を挟持金具Ａにより挟持するとしても良い。
【００５２】
以上、本発明の好ましい実施の形態を詳細に説明したが、特許請求の範囲から逸脱することなく改造、変形及び変更が行うことができることは理解すべきである。
【００５３】
例えば、蟻溝フレームＤの構造は図７、８に示す構造としても良い。図７は、その他の構造の蟻溝フレームＤに本発明の結露水回収装置を取り付けたときの縦断面図である。図８は、さらにその他の構造の蟻溝フレームＤに本発明の結露水回収装置を取り付けたときの縦断面図である。
【００５４】
図７の蟻溝フレームＤは、二本の蟻溝１４、１５を並列に設けた構造であり、図８の蟻溝フレームは、一本の蟻溝１４と一本の露受け溝１６とを並列に設けた構造である。これ以外の構造の蟻溝フレームＤを使用するとしてももちろん良い。
【００５５】
また、挟持金具Ａを金具としているが、素材は金属製でなくとももちろん良く、適宜素材を選択することが可能である。
【００５６】
また、締付部材Ｃとして、ボルト１０若しくは楔１１を使用するとしているが、これ以外の方法を用いるとしてももちろん良く、例えば磁石などによって固定するとしても良い。
【００５７】
また、樋Ｂを断面Ｕ字状の樋本体６と、ホース取付部９とからなり、上記ホース取付部９が樋本体６の端部に一体又は着脱自在に結合された半筒状の差し込み部７と、この差し込み部７の上端に刻設した複数の凹凸状保持部８とで構成されることにより、この保持部８の凹凸により、特別な部材を使用することなく排水管Ｅたるホースの口を抜けにくく保持するとしているが、排水管Ｅたるホースの口を抜けにくくするために、適宜部材を使用するとしてももちろんよい。
【図面の簡単な説明】
【００５８】
【図１】本発明の第一の実施の形態を示す結露水回収装置をビニールハウス内側からみた斜視図である。
【図２】本発明の第一の実施の形態を示す結露水回収装置の斜視図である。
【図３】本発明の第一の実施の形態を示す結露水回収装置の横断面図である。
【図４】本発明の第一の実施の形態を示す結露水回収装置の縦断面図である。
【図５】本発明の第二の実施の形態を示す結露水回収装置の斜視図である。
【図６】本発明の第二の実施の形態を示す結露水回収装置の縦断面図である。
【図７】その他の構造の蟻溝フレームＤに本発明の結露水回収装置を取り付けたときの縦断面図である。
【図８】さらにその他の構造の蟻溝フレームＤに本発明の結露水回収装置を取り付けたときの縦断面図である。
【符号の説明】
【００５９】
Ａ  挟持金具
Ｂ  樋
Ｃ  締付部材
Ｄ  蟻溝フレーム
Ｅ  排水管
Ｓ  ビニールシート
Ｗ  結露水
１  挟持片
２  挟持片
３  開口部
４  フック
５  フック
６  樋本体
７  差し込み部
８  保持部
９  ホース取り付け部
１０  ボルト
１１  楔
１２  谷部
１３  係止線条
１４  蟻溝
１５  蟻溝
１６  露受け溝
【図１】
2010136681.tif 000003
【図２】
2010136681.tif 000004
【図３】
2010136681.tif 000005
【図４】
2010136681.tif 000006
【図５】
2010136681.tif 000007
【図６】
2010136681.tif 000008
【図７】
2010136681.tif 000009
【図８】
2010136681.tif 000010